(57)【特許請求の範囲】
【請求項１】
認証対象装置と、携帯無線装置とを含んで構成される無線認証システムであって、
前記認証対象装置は、
携帯無線装置との間で、無線を介した各種信号の送受信を行う認証対象装置側無線部と、
報知動作を行う報知部と、
前記認証対象装置側無線部による信号の送受信を制御し、前記報知部による報知動作を検出すると、前記携帯無線装置が送信する、報知動作を停止することを要求する信号を待ち受ける認証対象装置側無線制御部と、
を備え、
前記携帯無線装置は、
認証対象装置との間で、無線を介した各種信号の送受信を行う携帯無線装置側無線部と、
入力操作を受け付ける操作部と、
前記携帯無線装置側無線部による信号の送受信を制御し、前記操作部による入力操作を受け付けると、前記認証対象装置による報知動作を停止することを要求する信号を前記携帯無線装置側無線部に送信させる携帯無線装置側無線制御部と、
を備え、
前記認証対象装置側無線制御部は、前記認証対象装置側無線部が受信する各種信号に含まれる、前記携帯無線装置を識別する識別子に応じて、前記報知動作を停止することを要求する信号を待ち受けるか否かを選択する無線認証システム。
【発明の詳細な説明】
【技術分野】
【０００１】
本発明は、無線通信を利用して認証を行う無線認証システムに関する。
【背景技術】
【０００２】
近年、ワイヤレスキー（携帯無線装置）から受信する電波の受信強度が所定値以上であり、かつその無線通信を利用して送受信する信号を基にワイヤレスキーとの認証に成功したと判定した場合にロックを解除し、ワイヤレスキーから受信する電波の受信強度が所定値未満である場合やワイヤレスキーとの上記認証に失敗したと判定した場合にロックする、無線認証機能を備えた認証対象装置が提案されている（例えば、特許文献１）。実用化されている認証対象装置の一例としては、ワイヤレスキーと無線認証を行ってドア鍵の施錠または解錠を行う自動車、または、ワイヤレスキーと無線認証を行って操作キーによる受付を拒否または許可する携帯電話、等が挙げられる。
【特許文献１】特開２００４−１４３８０６号公報
【発明の開示】
【発明が解決しようとする課題】
【０００３】
上記のワイヤレスキーと携帯電話を所持する利用者は、ワイヤレスキーは衣服のポケットに、携帯電話はカバンの中に、それぞれ入れるなどして、ワイヤレスキーを手元に、携帯電話を手元から離れたところに、所持して持ち運ぶことが想定される。このような状況では、利用者は、携帯電話が着信によって報知音を出力しても、すぐに携帯電話を操作してその報知音の出力を停止させることができない。一方で、利用者は、携帯電話が報知方法に制限がなされた状態（すなわち、マナーモード）に設定されている場合、携帯電話の着信に気付かない恐れがある。
【０００４】
本発明は、上記事情に鑑みてなされたもので、無線認証機能を利用して、認証対象装置による報知出力に対して携帯無線装置によって適切に対処することができる認証対象装置、携帯無線装置、認証制御方法、及びプログラムを提供することを目的とする。
【課題を解決するための手段】
【０００７】
本発明の無線認証システムは、認証対象装置と、携帯無線装置とを含んで構成される無線認証システムであって、前記認証対象装置は、携帯無線装置との間で、無線を介した各種信号の送受信を行う認証対象装置側無線部と、報知動作を行う報知部と、前記認証対象装置側無線部による信号の送受信を制御し、前記報知部による報知動作を検出すると、前記携帯無線装置が送信する、報知動作を停止することを要求する信号を待ち受ける認証対象装置側無線制御部と、を備え、前記携帯無線装置は、認証対象装置との間で、無線を介した各種信号の送受信を行う携帯無線装置側無線部と、入力操作を受け付ける操作部と、前記携帯無線装置側無線部による信号の送受信を制御し、前記操作部による入力操作を受け付けると、前記認証対象装置による報知動作を停止することを要求する信号を前記携帯無線装置側無線部に送信させる携帯無線装置側無線制御部と、を備え、前記認証対象装置側無線制御部は、前記認証対象装置側無線部が受信する各種信号に含まれる、前記携帯無線装置を識別する識別子に応じて、前記報知動作を停止することを要求する信号を待ち受けるか否かを選択する、ものである。
【００１０】
この構成により、無線認証機能を利用して、認証対象装置による報知出力に対して携帯無線装置によって適切に対処することができる。
また、認証対象装置は、特定の携帯無線装置から送信される、報知動作を停止することを要求する信号のみを受信することができる。この結果、認証対象装置が、操作ボタンを備えていない携帯無線装置と対に登録されている場合、携帯無線装置から報知停止要求信号が送信されることがないにもかかわらず、報知音の出力を開始したときに認証チャネルのキャリアセンスを開始することによって、無駄に電力を消費してしまうことを防ぐことができる。
【発明の効果】
【００３７】
本発明の認証対象装置、携帯無線装置、認証制御方法、及びプログラムによれば、無線認証機能を利用して、認証対象装置による報知出力に対して携帯無線装置によって適切に対処することができる。
【発明を実施するための最良の形態】
【００３８】
以下、本発明の実施の形態の認証対象装置及び携帯無線装置について詳細に説明する。
【００３９】
［携帯無線装置と認証対象装置の間での無線認証シーケンス］
まず、無線認証を開始していない携帯無線装置及び認証対象装置による処理、及び、相手装置と無線認証を開始し、無線認証を継続する携帯無線装置及び認証対象装置による一連の処理について、説明する。図１に、本発明の実施の形態の携帯無線装置及び認証対象装置によるサーチモード時のシーケンスを示す。携帯無線装置１１は、当該携帯無線装置１１と対に設定されている認証対象装置のうち、一台でも無線認証を行っていない認証対象装置がある場合、無線認証を行っていない認証対象装置から送信されてくる信号を受信すべく、ある周期Ｔでサーチチャネルのキャリアセンスを繰り返す（携帯無線装置１１は、図１における「○」で示す時点で、サーチチャネルのキャリアセンスを実施している。）。一方、認証対象装置２１は、少なくとも携帯無線装置１１のキャリアセンス周期Ｔ以上の期間、サーチ要求信号を送信する（図１におけるサーチ要求信号を表す太矢印の幅が、キャリアセンス周期Ｔ以上の期間に対応）。携帯無線装置１１と同期がとれていない、無線認証を開始する前の認証対象装置２１は、携帯無線装置１１のキャリアセンスＴ以上の期間、サーチ要求信号を送信することによって、携帯無線装置１１にサーチ要求信号を受信させることができるようにしている。認証対象装置２１は、そのサーチ要求信号を受信した携帯無線装置１１から送信されるサーチ信号を受信するまで、サーチ要求信号を定期的に送信し続ける。なお、認証対象装置２１は、携帯無線装置１１から送信されるサーチ信号を受信することが無いまま所定の回数サーチ要求信号を送信した場合、サーチ要求信号の送信を停止する、あるいはサーチ要求信号を送信する周期を長くすることによって、認証対象装置２１の省電力化を図るようにしてもよい。
【００４０】
携帯無線装置１１は、認証対象装置２１からのサーチ要求信号を受信することがなければ、サーチチャネルのキャリアセンスを繰り返す。一方、携帯無線装置１１は、キャリアセンス実行時に、無線通信圏内にいる認証対象装置２１からサーチ要求信号を受信すると、認証対象装置２１にサーチ信号を送信する。そして、認証対象装置２１は、サーチ信号を受信し、サーチ応答を携帯無線装置１１に送信する。サーチ応答を受信した携帯無線装置１１は、自機（携帯無線装置１１）を識別する識別符号を含むキーＩＤ信号を認証対象装置２１に送信する。そのキーＩＤ信号を受信した認証対象装置２１は、そのキーＩＤ信号に含まれる識別符号と、自機（認証対象装置２１）がデータとして予め記憶している識別符号（この識別符号は、無線認証を行う上で認証対象装置と対になる携帯無線装置の識別符号である。）と、が一致するか否かを判定し、一致していれば自機（認証対象装置２１）を識別する識別符号を含む端末ＩＤ信号を携帯無線装置１１に送信する。なお、携帯無線装置１１及び認証対象装置２１は、無線認証を開始する前に、ペアリング処理を実施してお互いの識別符号を交換し、自装置の識別符号と相手装置の識別符号とを一対のものとして登録している。
【００４１】
端末ＩＤ信号を受信した携帯無線装置１１は、以後、認証対象装置２１との間でチャレンジアンドレスポンス方式を用いた信号の送受信を行う。すなわち、端末ＩＤ信号を受信した携帯無線装置１１は、チャレンジリクエスト信号を認証対象装置２１に送信する。チャレンジリクエスト信号を受信した認証対象装置２１は、８ｂｙｔｅの乱数を発生させて生成したチャレンジ信号を携帯無線装置１１に送信するとともに、そのチャレンジ信号を携帯無線装置１１と共通の暗号化処理によって暗号化した暗号化信号を記憶する。チャレンジ信号を受信した携帯無線装置１１は、このチャレンジ信号に対して認証対象装置２１と共通の暗号化処理を行って生成したレスポンス信号を認証対象装置２１に送信する。レスポンス信号を受信した認証対象装置２１は、そのレスポンス信号と、チャレンジ信号を携帯無線装置１１に送信したときに記憶しておいた暗号化信号と、を比較し照合する。認証対象装置２１は、それらの信号が一致していれば、携帯無線装置１１との認証に成功したと判定し、認証に成功した旨を知らせるＡＣＫ信号を携帯無線装置１１に送信する。
【００４２】
キーＩＤ信号以後の信号を所定の時間、相手側装置から受信できなければ、認証対象装置２１はサーチ要求信号の送信を再度開始し、一方携帯無線装置１１は認証対象装置２１から送信されてくるサーチ要求信号のキャリアセンスを再度開始する。上述したシーケンスのうち、認証対象装置２１がサーチ要求信号の送信を開始してから携帯無線装置１１がＡＣＫ信号を受信するまでの期間をサーチモードと称する（なお、認証対象装置２１がサーチ要求信号の送信を開始してから携帯無線装置１１が端末ＩＤ信号を受信するまでの期間をサーチモード、携帯無線装置１１がチャレンジリクエスト信号を送信してから携帯無線装置１１がＡＣＫ信号を受信するまでの期間を初期認証モード、とそれぞれ称されることがある。）。また、ＡＣＫ信号を送信または受信した以降、認証対象装置２１及び携帯無線装置１１は、後述する認証モードに遷移することになる。
【００４３】
ところで、認証対象装置２１は、上述のシーケンスで示した各種信号の送受信を行うと共に、携帯無線装置１１から受信した各種信号のうち、一部の信号（または全ての信号）の受信強度を計測する、または、認証対象装置２１から受信した信号の受信強度を計測する携帯無線装置１１からその受信強度を通知されている。レスポンス信号を受信した認証対象装置２１は、携帯無線装置１１との認証に成功したと判定した場合、そのレスポンス信号を受信するまでに計測したまたは通知された信号の受信強度が所定値未満であれば、ＡＣＫ信号を携帯無線装置１１に送信して認証モードに遷移するものの、認証対象装置２１に備わる機能の少なくとも一部に対する制限を継続する。一方、認証対象装置２１は、そのレスポンス信号を受信するまでに計測したまたは通知された信号の受信強度が所定値以上であれば、ＡＣＫ信号を携帯無線装置１１に送信して認証モードに遷移し、認証対象装置２１に備わる機能の少なくとも一部に対する制限を解除する。
【００４４】
続いて、認証対象装置２１がサーチモードにおいてレスポンス信号を送信した以後のシーケンスについて、説明する。図２に、本発明の実施の形態の携帯無線装置及び認証対象装置による認証モード時のシーケンスを示す。携帯無線装置１１及び認証対象装置２１は、相手装置との同期をとるために、携帯無線装置１１が、レスポンス信号を認証対象装置２１に送信した時点を起点として計時を開始し、一方、認証対象装置２１が、レスポンス信号を携帯無線装置１１から受信した時点を起点として計時を開始するものとする。なお、携帯無線装置１１及び認証対象装置２１がレスポンス信号を送受信した時点を起点として計時を開始するよう説明したが、他の信号を同期信号に用いても構わない。また、認証対象装置２１は、携帯無線装置１１から受信する各種信号のフレーム同期に合わせて、計時時刻を補正するものとする。
【００４５】
携帯無線装置１１は、認証対象装置２１から送信される信号を受信すべく、計時を開始してから２Ｔの周期で認証チャネルのキャリアセンスを繰り返す（携帯無線装置１１は、図２における「○」で示す時点で、認証チャネルのキャリアセンスを実施している。）。認証モードに遷移した認証対象装置２１は、以後、携帯無線装置１１が認証チャネルのキャリアセンスするタイミングに合わせるために、同期をとった時点から２Ｔの周期の任意の時点で、任意の要求信号を携帯無線装置１１に送信することがある。また、携帯無線装置１１は、計時を開始してからＴの周期で、サーチチャネルのキャリアセンスを実施する場合がある。携帯無線装置１１によるサーチチャネルのキャリアセンスは、携帯無線装置１１と対に設定されている認証対象装置が複数台携帯無線装置１１に登録されており、一台でも無線認証を行っていない認証対象装置がある場合、無線認証を行っていない認証対象装置から送信されてくる信号を受信するために、実施される。なお、認証チャネルのキャリアセンスを実施するタイミングとサーチチャネルのキャリアセンスを実施するタイミングとが重複する場合があるが、このような場合、携帯無線装置１１は、認証チャネルのキャリアセンスを先に行い、認証対象装置からの電波を検出できない場合にサーチチャネルのキャリアセンスを行う、という処理で対応する。
【００４６】
認証対象装置２１は、レスポンス信号を受信してから時間２Ｔが経過したとき、その時点までに８ｂｙｔｅの乱数を発生させて生成しておいたチャレンジ信号（Ｆｕｌｌ）を携帯無線装置１１に送信するとともに、その８ｂｙｔｅのチャレンジ信号と、そのチャレンジ信号（Ｆｕｌｌ）を携帯無線装置１１と共通の暗号化処理によって暗号化した８ｂｙｔｅの暗号化信号と、を記憶する。チャレンジ信号（Ｆｕｌｌ）を受信した携帯無線装置１１は、このチャレンジ信号（Ｆｕｌｌ）と、このチャレンジ信号（Ｆｕｌｌ）に対して認証対象装置２１と共通の暗号化処理を行って生成した８ｂｙｔｅのレスポンス信号と、を記憶するとともに、そのレスポンス信号のうちの、先頭から１ｂｙｔｅ（レスポンス信号１／８）を認証対象装置２１に送信する。レスポンス信号（１／８）を受信した認証対象装置２１は、そのレスポンス信号（１／８）と、チャレンジ信号（Ｆｕｌｌ）を携帯無線装置１１に送信したときに記憶しておいた暗号化信号のうちの先頭から１ｂｙｔｅと、を比較し照合する。認証対象装置２１は、それらの信号が一致していれば、携帯無線装置１１との認証に成功したと判定する。
【００４７】
さらに、認証対象装置２１は、チャレンジ信号（Ｆｕｌｌ）を携帯無線装置１１に送信してから１６Ｔが経過したときに、記憶しておいた８ｂｙｔｅのチャレンジ信号のうちの、１ｂｙｔｅ目の終わりからの１ｂｙｔｅ（チャレンジ信号２／８）を携帯無線装置１１に送信する。チャレンジ信号（２／８）を受信した携帯無線装置１１は、記憶しておいた８ｂｙｔｅのレスポンス信号のうちの、１ｂｙｔｅ目の終わりからの１ｂｙｔｅ（レスポンス信号２／８）を認証対象装置２１に送信する。レスポンス信号（２／８）を受信した認証対象装置２１は、そのレスポンス信号（２／８）と、チャレンジ信号（Ｆｕｌｌ）を携帯無線装置１１に送信したときに記憶しておいた暗号化信号のうちの、１ｂｙｔｅ目の終わりからの１ｂｙｔｅと、を比較し照合する。認証対象装置２１は、それらの信号が一致していれば、携帯無線装置１１との認証に成功したと判定する。同様に、認証対象装置２１は、チャレンジ信号（２／８）を携帯無線装置１１に送信してから１６Ｔが経過したときに、記憶しておいた８ｂｙｔｅのチャレンジ信号のうちの、２ｂｙｔｅ目の終わりからの１ｂｙｔｅ（チャレンジ信号３／８）を携帯無線装置１１に送信する。チャレンジ信号３／８を受信した携帯無線装置１１は、記憶しておいた８ｂｙｔｅのレスポンス信号のうちの、２ｂｙｔｅ目の終わりからの１ｂｙｔｅ（レスポンス信号３／８）を認証対象装置２１に送信する。レスポンス信号（３／８）を受信した認証対象装置２１は、そのレスポンス信号（３／８）と、チャレンジ信号（Ｆｕｌｌ）を携帯無線装置１１に送信したときに記憶しておいた暗号化信号のうちの、２ｂｙｔｅ目の終わりからの１ｂｙｔｅと、を比較し照合する。認証対象装置２１は、それらの信号が一致していれば、携帯無線装置１１との認証に成功したと判定する。
【００４８】
図２では、認証対象装置２１が、チャレンジ信号（Ｆｕｌｌ）を携帯無線装置１１に送信してからチャレンジ信号（２／８）を携帯無線装置１１に送信するまでの１６Ｔの期間をブロック１と称している。以後、認証対象装置２１が、チャレンジ信号（ｎ／８）（ｎ＝２、３・・・７）を携帯無線装置１１に送信してからチャレンジ信号（（ｎ＋１）／８）を携帯無線装置１１に送信するまでの１６Ｔの期間をブロックｎと称している。さらに、認証対象装置２１が、チャレンジ信号（８／８）を携帯無線装置１１に送信してから、再度８ｂｙｔｅの乱数を発生させて生成したチャレンジ信号（Ｆｕｌｌ）を携帯無線装置１１に送信するまでの１６Ｔの期間をブロック８と称している。ブロック８において、認証対象装置２１は、チャレンジ信号（８／８）を携帯無線装置１１に送信してから１６Ｔ経過したとき、その時点までに再度８ｂｙｔｅの乱数を発生させて生成しておいたチャレンジ信号（Ｆｕｌｌ）を携帯無線装置１１に送信するとともに、その８ｂｙｔｅのチャレンジ信号と、そのチャレンジ信号（Ｆｕｌｌ）を携帯無線装置１１と共通の暗号化処理によって暗号化した８ｂｙｔｅの暗号化信号と、を記憶する。そして、ブロック１、２・・・ｎそれぞれの期間に応じた、チャレンジ信号（ｎ／８）及びレスポンス信号（ｎ／８）が送受信される。以降、認証対象装置２１は、１２８Ｔ毎に、上述の処理を繰り返す。なお、ブロックの順番ｎに合わせて、８ｂｙｔｅのチャレンジ信号、及びレスポンス信号のうちの（ｎ−１）の終わりからの１ｂｙｔｅを、チャレンジ信号（ｎ／８）、及びレスポンス信号（ｎ／８）とするように説明したが、ブロックの順番ｎに合わせない構成であっても構わない。例えば、８ｂｙｔｅのチャレンジ信号、及びレスポンス信号の最後からの１ｂｙｔｅをチャレンジ信号（１／８）及びレスポンス信号（１／８）とし、以下チャレンジ信号、及びレスポンス信号の最後からの１ｂｙｔｅ単位でチャレンジ信号（ｎ／８）及びレスポンス信号（ｎ／８）としてもよいし、予めお互いの間で決められたランダムな順序(例えば、８、３、２、５、７、６、１、４)を決めておき、または、チャレンジ信号（Ｆｕｌｌ）に順番を表す情報を載せてその順序を共有化しておき、その順序に対応する１ｂｙｔｅをチャレンジ信号（ｎ／８）及びレスポンス信号（ｎ／８）としてもよいし、「最後から・・・」と「先頭から・・・」を交互に入れ替えるようにしてもよい。これにより、携帯無線装置１１及び認証対象装置２１間の信号の送受信における秘匿性が高まる。
【００４９】
各ブロックｎ（ｎ＝１、２、・・・８）において、チャレンジ信号（Ｆｕｌｌ）またはチャレンジ信号（ｎ／８）を送信した認証対象装置２１は、その後携帯無線装置１１から受信するレスポンス信号（ｎ／８）の受信強度を計測する、または、認証対象装置２１から受信した信号の受信強度を計測する携帯無線装置１１からレスポンス信号を用いてその受信強度を通知されている。レスポンス信号（ｎ／８）を受信した認証対象装置２１は、携帯無線装置１１との認証に成功したと判定した場合、そのレスポンス信号（ｎ／８）から計測したまたは通知された信号の受信強度が所定値未満であれば、認証モードを維持するものの、認証対象装置２１に備わる機能の少なくとも一部に対する制限を継続する。一方、認証対象装置２１は、そのレスポンス信号（ｎ／８）から計測したまたは通知された信号の受信強度が所定値以上であれば、認証モードを維持し、認証対象装置２１に備わる機能の少なくとも一部に対する制限を解除する。なお、認証対象装置２１は、ブロック１からブロック８においてそれぞれ計測したまたは通知された信号の受信強度に基づいて、総合的に受信強度が所定値以上か未満かを判定するようにしてもよい。例えば、ブロック１〜８における受信強度の最大値（または最小値）や平均化した数値を算出し、その数値が受信強度の所定値以上か未満かを判定する手法が考えられる。また、認証対象装置２１は、そのレスポンス信号（ｎ／８）の受信強度を計測する機能と、携帯無線装置１１からレスポンス信号（ｎ／８）を用いてその受信強度を取得する機能と、を有している場合には、それぞれの機能から得た受信強度のうちの、大きいもの（または小さいもの）が、所定値以上か未満かを判定するようにしてもよい。
【００５０】
ところで、認証モードに遷移した認証対象装置２１は、以後、携帯無線装置１１がキャリアセンスするタイミング（周期２Ｔ）に合わせるために、同期をとった時点から２Ｔの周期にある任意の時点で、任意の要求信号を携帯無線装置１１に送信することがあると説明した。この「任意の要求信号」には、例えば、報知機能が設けられた携帯無線装置１１に報知を要求する信号（この信号を送信する具体的なタイミングとしては、認証対象装置が当該認証対象装置に備わる機能の少なくとも一部に対して制限を加えるとき）、ＬＥＤが設けられた携帯無線装置１１にそのＬＥＤの点灯を要求する信号（この信号を送信する具体的なタイミングとしては、認証対象装置が携帯電話である場合、その携帯電話が音声電話の着信や電子メールの受信を検出したとき）、表示機能が設けられた携帯無線装置１１に文字列や画像を表示することを要求する信号（この信号を送信する具体的なタイミングとしては、認証対象装置が携帯電話である場合、その携帯電話が着信した音声電話の相手先の情報や受信した電子メールの相手先の情報を携帯無線装置に送信し、携帯無線装置に表示させるとき）、または、携帯無線装置１１に受信強度の測定を要求する信号（この信号を送信する具体的なタイミングとしては、認証対象装置２１が計測する、または携帯無線装置１１から通知される受信強度が通信可能な限界の数値に極めて近く、受信強度を検出する頻度を大きくするために、レスポンス信号の受信周期１６Ｔのタイミングに加えて、さらに別のタイミングで受信強度を検出したいとき）、などが挙げられる。
【００５１】
この「任意の要求信号」を、認証対象装置２１は、ブロック１からブロック８のいずれかの期間に送信することになる。認証対象装置２１は、例えば、ブロック１の期間に任意の要求信号を携帯無線装置１１に送信すると、記憶しておいた８ｂｙｔｅのチャレンジ信号のうちの、先頭からの１ｂｙｔｅ（チャレンジ信号１／８）を付与した任意の要求信号（１／８）を携帯無線装置１１に送信する。任意の要求信号（１／８）を受信した携帯無線装置１１は、その任意の要求信号（１／８）に付与されている１ｂｙｔｅと、チャレンジ信号（Ｆｕｌｌ）を携帯無線装置１１に送信したときに記憶しておいた信号のうちの、先頭からの１ｂｙｔｅと、を比較し照合する。携帯無線装置１１は、それらの信号が一致していれば、その要求に応じた処理を実行できるか否かを判定し、実行できると判定した場合には、その任意の要求信号（１／８）に応答する旨を通知するＡＣＫ信号（１／８）を認証対象装置２１に送信する。なお、携帯無線装置１１は、ＡＣＫ信号（１／８）を認証対象装置２１に送信する際には、記憶しておいた８ｂｙｔｅのレスポンス信号のうちの、先頭からの１ｂｙｔｅを付与したＡＣＫ信号（１／８）を送信する。ＡＣＫ信号（１／８）を受信した認証対象装置２１は、そのＡＣＫ信号（１／８）に付与されている１ｂｙｔｅと、チャレンジ信号（Ｆｕｌｌ）を携帯無線装置１１に送信したときに記憶しておいた暗号化信号のうちの、先頭からの１ｂｙｔｅと、を比較し照合する。認証対象装置２１は、それらの信号が一致していれば、携帯無線装置１１が要求した処理を実行するものと判定する。認証対象装置２１が、他のブロックにおいて任意の要求信号を送信する場合も、任意の要求信号及びＡＣＫに付与される信号が、そのブロックに対応する１ｂｙｔｅに変わる点を除いて、同様である。
【００５２】
続いて、認証対象装置２１が認証モードにおいてレスポンス信号を受信できない場合のシーケンスについて、説明する。図３に、本発明の実施の形態の携帯無線装置及び認証対象装置による認証モード時のシーケンスの他例を示す。認証対象装置２１は、１６Ｔの周期で、チャレンジ信号（Ｆｕｌｌ）またはチャレンジ信号（ｎ／８）を送信するが、それらのチャレンジ信号に対する携帯無線装置１１からのレスポンス信号（ｎ／８）を受信できない場合、最初のチャレンジ信号（Ｆｕｌｌ）またはチャレンジ信号（ｎ／８）を送信した時点から２Ｔ後に、同じチャレンジ信号（Ｆｕｌｌ）またはチャレンジ信号（ｎ／８）を再送する（図２及び図３では、チャレンジ信号（Ｆｕｌｌ）再送１またはチャレンジ信号（ｎ／８）再送１と表記している。）。認証対象装置２１は、チャレンジ信号（Ｆｕｌｌ）再送１またはチャレンジ信号（ｎ／８）再送１に対する携帯無線装置１１からのレスポンス信号（ｎ／８）を受信することができれば、最初のチャレンジ信号（ｎ／８）を携帯無線装置１１に送信してから１６Ｔが経過したときに、チャレンジ信号（ｎ＋１）／８を携帯無線装置１１に送信する。
【００５３】
一方、認証対象装置２１は、チャレンジ信号（Ｆｕｌｌ）再送１またはチャレンジ信号（ｎ／８）再送１を送信した後、それらのチャレンジ信号に対する携帯無線装置１１からのレスポンス信号（ｎ／８）を受信できない場合、チャレンジ信号（Ｆｕｌｌ）再送１またはチャレンジ信号（ｎ／８）再送１を送信した時点から２Ｔ後に、同じチャレンジ信号（Ｆｕｌｌ）またはチャレンジ信号（ｎ／８）を再送する（図２及び図３では、チャレンジ信号（Ｆｕｌｌ）再送２またはチャレンジ信号（ｎ／８）再送２と表記している。）。認証対象装置２１は、チャレンジ信号（Ｆｕｌｌ）再送２またはチャレンジ信号（ｎ／８）再送２に対する携帯無線装置１１からのレスポンス信号（ｎ／８）を受信することができれば、最初のチャレンジ信号（ｎ／８）を携帯無線装置１１に送信してから１６Ｔが経過したときに、チャレンジ信号（ｎ＋１）／８を携帯無線装置１１に送信する。
【００５４】
さらに、認証対象装置２１は、チャレンジ信号（Ｆｕｌｌ）またはチャレンジ信号（ｎ／８）を送信した後、チャレンジ信号（Ｆｕｌｌ）再送１またはチャレンジ信号（ｎ／８）再送１を送信した後、及びチャレンジ信号（Ｆｕｌｌ）再送２またはチャレンジ信号（ｎ／８）再送２を送信した後、いずれのチャレンジ信号に対しても携帯無線装置１１からのレスポンス信号（ｎ／８）を受信できない場合、サーチ要求信号の送信を開始し、サーチモードに遷移する。そして、認証対象装置２１は、認証対象装置２１に備わる機能の少なくとも一部に対する制限を加える、または、既に制限を加えた状態であればその制限を継続することになる。他方、携帯無線装置１１は、認証対象装置２１から最初のチャレンジ信号（Ｆｕｌｌ）またはチャレンジ信号（ｎ／８）を受信すべき時点から４Ｔ経過すると（つまり、認証対象装置２１が一連の３度のチャレンジ信号の送信にかかる時間経過すると）、２Ｔ間隔の認証対象装置２１に対する認証チャネルのキャリアセンスを中止し、同時点ではサーチチャネルのキャリアセンスを行うことになる。なお、ここでは、認証対象装置２１がチャレンジ信号の再送を最大２回送信するシーケンスについて説明したが、再送する回数は何回でもよい（再送なしでもよい）。
【００５５】
なお、携帯無線装置１１は、認証対象装置２１からのチャレンジ信号（Ｆｕｌｌ）またはチャレンジ信号（ｎ／８）を受信できたものの、認証対象装置２１が、携帯無線装置１１から送信されたレスポンス信号（ｎ／８）を受信できない場合もある。携帯無線装置１１は、レスポンス信号（ｎ／８）を送信した後、認証対象装置２１からのチャレンジ信号（Ｆｕｌｌ）再送１、再送２またはチャレンジ信号（ｎ／８）再送１、再送２を受信すれば、レスポンス信号（ｎ／８）を再送することになる。
【００５６】
認証対象装置２１は、以上のようなシーケンスによって携帯無線装置１１との間で無線認証を行い、認証対象装置２１に備わる各種機能の一部または全てに対して制限を加え、またはその制限を解除する。
【００５７】
［認証モードにある認証対象装置による報知出力動作期間中のシーケンス］
次に、認証対象装置２１が報知出力を開始した場合における、携帯無線装置１１及び認証対象装置２１による処理について説明する。まず、携帯無線装置１１との間で認証モードにて認証を行う認証対象装置２１が報知出力を開始した場合における、携帯無線装置１１及び認証対象装置２１による処理について説明する。図４に、本発明の実施の形態の携帯無線装置及び認証対象装置による、認証モードにある認証対象装置が報知出力動作期間中のシーケンスの一例を示す。
【００５８】
認証対象装置２１が、携帯電話である場合を例にとって説明する。認証対象装置２１は、音声通話を着信したときや電子メールを受信したときに報知音の音出力を開始する（図４では、認証対象装置２１が、実線で囲まれる「報知動作開始」の時点で報知音の音出力を開始するよう記載している。）。このとき、認証対象装置２１は、報知音の音出力を開始した時点から、所定の期間、認証チャネルのキャリアセンスを行う（認証対象装置２１は、図４における「□」で示す期間、認証チャネルのキャリアセンスを実施している。）。
【００５９】
一方、携帯無線装置１１は、当該携帯無線装置１１に備わる操作ボタンの押下を検出したとき、その時点を含むブロックに対応する１ｂｙｔｅ（図４では、ブロック２に対応するレスポンス信号（２／８））を付与した報知停止要求信号（図４では、報知停止要求信号（２／８））を認証対象装置２１に送信する。
【００６０】
認証対象装置２１は、認証チャネルのキャリアセンスを行っている期間に、報知停止要求信号（２／８）を受信すると、その時点を含むブロックに対応する１ｂｙｔｅ（図４では、ブロック２に対応するチャレンジ信号（２／８））を付与したＡＣＫ信号（２／８）を携帯無線装置１１に送信し、報知音の音出力を停止するとともに、それまで継続していた認証チャネルのキャリアセンスを停止する（図４では、認証対象装置２１が、点線で囲まれる「報知動作終了」の時点で報知音の音出力を終了するよう記載している。）。認証対象装置２１が報知音の音出力を開始した時点から認証チャネルのキャリアセンスを行う所定の期間は、利用者による報知を停止する指示を認証対象装置２１が許容できる時間の最大値に相当する。この所定の期間は、利用者が認証対象装置２１に適宜設定する構成であってもよい。認証対象装置２１が所定の期間のみ認証チャネルのキャリアセンスを行うことによって、認証対象装置２１は携帯無線装置１１から報知停止要求信号が送信される可能性が高い期間のみ認証チャネルのキャリアセンスを行えばよく、その結果、キャリアセンスに伴う認証対象装置２１の電力消費を低減することができる。
【００６１】
また、携帯無線装置１１は、認証対象装置２１が報知停止要求信号（２／８）を確実に受信するために、認証対象装置２１からＡＣＫ信号（２／８）を受信するまで報知停止要求信号（２／８）を所定の回数、認証対象装置２１に送信する（図４では、携帯無線装置１１が、報知停止要求信号（２／８）の初送、及び報知停止要求信号（２／８）の１度目の再送に対してはＡＣＫ信号（２／８）を受信することができず、報知停止要求信号（２／８）の２度目の再送に対して認証対象装置２１からＡＣＫ信号（２／８）を受信した場合を記載している。）。なお、携帯無線装置１１は、所定の回数、報知停止要求信号（２／８）を認証対象装置２１に送信しても、ＡＣＫ信号（２／８）を認証対象装置２１から受信することができない場合は、以後、報知停止要求信号（２／８）の送信を停止し、さらに携帯無線装置１１がＬＥＤやスピーカを搭載している場合には、ＬＥＤを点滅させたりスピーカに音出力させるなどして、認証対象装置２１による報知音出力を停止することに失敗した旨を利用者に知らせるようにしてもよい。
【００６２】
図４に示すシーケンスは、認証対象装置２１が出力する報知音に気付いた利用者が、携帯無線装置１１に備わる操作ボタンを押下することによって、認証対象装置２１による報知音の出力を停止する状況を想定したものである。携帯無線装置１１及び認証対象装置２１による一連の処理により、例えば、ワイヤレスキーは衣服のポケットに、携帯電話はカバンの中に、それぞれ入れるなどして、ワイヤレスキーを手元に、携帯電話を手元から離れたところに、所持して持ち運ぶ状況において、利用者は、携帯電話が着信によって報知音の出力を開始すると、すぐに認証対象装置２１による報知音の出力を停止させることができる。
【００６３】
また、携帯無線装置１１との間で認証モードにて認証を行う認証対象装置２１が報知出力を開始した場合における、携帯無線装置１１及び認証対象装置２１による処理の別の例について説明する。図５に、本発明の実施の形態の携帯無線装置及び認証対象装置による、認証モードにある認証対象装置が報知出力動作期間中のシーケンスの他例を示す。
【００６４】
認証対象装置２１が、携帯電話である場合を例にとって説明する。認証対象装置２１は、音声通話を着信したときや電子メールを受信したときに報知音の音出力を開始する（図５では、認証対象装置２１が、実線で囲まれる「報知動作開始」の時点で報知音の音出力を開始するよう記載している。）。
【００６５】
さらに、認証対象装置２１は、報知音の音出力を開始した時点後、項目［携帯無線装置と認証対象装置の間での無線認証シーケンス］にて説明した任意の要求信号の一形態として、認証対象装置２１が報知音の音出力を開始したことを通知するための報知開始通知信号（図５では、ブロック２にて認証対象装置２１が送信する報知開始通知信号を報知開始通知信号（２／８）と記載。）を携帯無線装置１１に送信する。報知開始通知信号（２／８）を受信した携帯端末装置１１は、報知開始通知信号（２／８）に付与されている１ｂｙｔｅと、チャレンジ信号（Ｆｕｌｌ）を携帯無線装置１１に送信したときに記憶しておいた信号のうちの、先頭からの１ｂｙｔｅと、を比較し、一致していれば、その報知開始通知信号（２／８）に応答する旨を通知するＡＣＫ信号（２／８）を認証対象装置２１に送信する。認証対象装置２１は、報知開始通知信号（２／８）に対するＡＣＫ信号（２／８）を受信することができない場合には、先に報知開始通知信号（２／８）を送信した時点から２Ｔ後のタイミングで、所定の回数、報知開始通知信号（２／８）を再送する（図５では、認証対象装置２１が、報知開始通知信号（２／８）を二度送信した後、携帯無線装置１１からＡＣＫ信号（２／８）を受信する場合について記載している。）。認証対象装置２１は、所定の回数、報知開始通知信号（２／８）を携帯無線装置１１に送信しても、ＡＣＫ信号（２／８）を携帯無線装置１１から受信することができない場合は、以後、報知開始通知信号（２／８）の送信を停止する。報知開始通知信号（２／８）を再送するタイミングが２Ｔ後になるのは、認証対象装置２１がＡＣＫ信号（２／８）を受信できない理由が、携帯無線装置１１が報知開始通知信号（２／８）を受信できていないことに起因する場合があり、この場合、携帯無線装置１１は、２Ｔ毎のキャリアセンスを短くすることはできないためである。
【００６６】
また、認証対象装置２１は、報知音の音出力を開始した時点後の、次のブロックにて送信するチャレンジ信号（例えば、図５では、チャンレンジ信号（３／８））に、認証対象装置２１が報知音の音出力を開始したことを通知する情報を搭載して、当該チャレンジ信号（３／８）を携帯無線装置１１に送信するようにしてもよい。認証対象装置２１が報知音の音出力を開始したことを通知する情報をチャレンジ信号（３／８）に搭載する場合、その通知に対する応答は、レスポンス信号（３／８）によって行われる（つまり、レスポンス信号（３／８）が、上述した報知開始通知信号（２／８）に応答する旨を通知するＡＣＫ信号（２／８）の役割を兼ねる。）。認証対象装置２１が任意の要求信号を利用して報知開始通知信号を携帯無線装置１１に送信する構成により、携帯無線装置１１は最大２Ｔの遅れで報知開始通知信号を受信することができ、認証対象装置２１が出力する報知音に対してリアルタイム性をもって応答することができる。認証対象装置２１は、報知開始通知信号（２／８）に応答する旨を通知するＡＣＫ信号（２／８）を受信した時点、または、ＡＣＫ信号（２／８）の役割を兼ねるレスポンス信号（３／８）を受信した時点から、所定の期間、認証チャネルのキャリアセンスを行う（認証対象装置２１は、図５における「□」で示す期間、認証チャネルのキャリアセンスを実施している。）。
【００６７】
一方、携帯無線装置１１は、報知開始通知信号（２／８）またはチャレンジ信号（３／８）を認証対象装置２１から受信すると、当該携帯無線装置１１に備わるディスプレイ、スピーカ、バイブレーションなどの報知デバイスに、認証対象装置２１が報知音を音出力中である旨を出力させる。そして、携帯無線装置１１は、当該携帯無線装置１１に備わる操作ボタンの押下を検出したとき、その時点を含むブロックに対応する１ｂｙｔｅ（図５では、ブロック２に対応するレスポンス信号（２／８））を付与した報知停止要求信号（図５では、報知停止要求信号（２／８））を認証対象装置２１に送信する。
【００６８】
認証対象装置２１は、報知停止要求信号（２／８）を受信すると、その時点を含むブロックに対応する１ｂｙｔｅ（図４では、ブロック２に対応するチャレンジ信号（２／８））を付与したＡＣＫ信号（２／８）を携帯無線装置１１に送信し、報知音の音出力を停止するとともに、それまで継続していた認証チャネルのキャリアセンスを停止する（図５では、認証対象装置２１が、点線で囲まれる「報知動作終了」の時点で報知音の音出力を終了するよう記載している。）。
【００６９】
また、携帯無線装置１１は、認証対象装置２１が報知停止要求信号（２／８）を確実に受信するために、認証対象装置２１からＡＣＫ信号（２／８）を受信するまで報知停止要求信号（２／８）を所定の回数、認証対象装置２１に送信する（図５では、携帯無線装置１１が、報知停止要求信号（２／８）の初送、及び報知停止要求信号（２／８）の１度目の再送に対してはＡＣＫ信号（２／８）を受信することができず、報知停止要求信号（２／８）の２度目の再送に対して認証対象装置２１からＡＣＫ信号（２／８）を受信した場合を記載している。）。なお、携帯無線装置１１は、所定の回数、報知停止要求信号（２／８）を認証対象装置２１に送信しても、ＡＣＫ信号（２／８）を認証対象装置２１から受信することができない場合は、以後、報知停止要求信号（２／８）の送信を停止し、さらに携帯無線装置１１がＬＥＤやスピーカを搭載している場合には、ＬＥＤを点滅させたりスピーカに音出力させるなどして、認証対象装置２１による報知音出力を停止することに失敗した旨を利用者に知らせるようにしてもよい。
【００７０】
図５に示すシーケンスは、携帯無線装置１１による報知により認証対象装置２１が報知音を出力していることに気付いた利用者が、携帯無線装置１１に備わる操作ボタンを押下することによって、認証対象装置２１による報知音の出力を停止する状況を想定したものである。携帯無線装置１１及び認証対象装置２１による一連の処理により、例えば、利用者は、携帯電話が報知方法に制限がなされた状態（すなわち、マナーモード）に設定されている場合にも、携帯無線装置１１による報知により携帯電話の着信に気付くことができ、その気付いた時点ですぐに認証対象装置２１による報知音の出力を停止させることができる。
【００７１】
以上、本発明の実施の形態の携帯無線装置及び認証対象装置によれば、認証対象装置と対になる携帯無線装置を所持する者（すなわち、携帯無線装置と認証対象装置との間での認証により、これらの装置の利用者本人と認証された者）のみが、携帯無線装置を手元に、認証対象装置を手元から離れたところに、所持して持ち運ぶ状況や、認証対象装置が報知方法に制限がなされた状態（すなわち、マナーモード）に設定されている場合であっても、すぐに認証対象装置２１による報知音の出力を停止させることができる。
【００７２】
なお、項目［認証モードにある認証対象装置による報知出力動作期間中のシーケンス］では、携帯無線装置１１が操作ボタン（広義には、利用者からの指示を受け付けることができるデバイス）を備えることを前提にして図４、図５に示すシーケンスを説明したが、携帯無線装置１１がこの操作ボタンを備えていない場合も想定される。認証対象装置２１は、操作ボタンを備えていない携帯無線装置１１と対に登録されている場合、携帯無線装置１１から報知停止要求信号が送信されることがないにもかかわらず、報知音の出力を開始したときに認証チャネルのキャリアセンスを開始しても、無駄に電力を消費してしまうことになる。このため、認証対象装置２１は、当該認証対象装置２１の消費電力を低減するために、対に登録されている携帯無線装置１１が操作ボタンを備えているか否かを識別し、その携帯無線装置１１が操作ボタンを備えている場合に、項目［認証モードにある認証対象装置による報知出力動作期間中のシーケンス］にて説明した処理を実施することが好ましい。
【００７３】
対に登録されている携帯無線装置１１が操作ボタンを備えているか否かを認証対象装置２１が識別する処理の例としては、例えば、認証対象装置２１は、携帯無線装置１１との登録処理（ペアリング処理）時に携帯無線装置１１の識別符号を取得するが、このときに、携帯無線装置１１のバージョン情報や携帯無線装置１１の製品種別情報を取得し、それらの情報を基に対に登録されている携帯無線装置１１が操作ボタンを備えているか否かを識別し、その結果に応じて報知音の出力を開始したときの認証チャネルのキャリアセンスを開始するようにしてもよい。別の例としては、認証対象装置２１は、サーチモードにて携帯無線装置１１と認証を行っているときに、認証用の各種信号に搭載される携帯無線装置１１のバージョン情報や携帯無線装置１１の製品種別情報を取得し、それらの情報を基に認証モードにて認証を行っている携帯無線装置１１が操作ボタンを備えているか否かを識別し、その結果に応じて報知音の出力を開始したときの認証チャネルのキャリアセンスを開始するようにしてもよい。
【００７４】
また、認証対象装置２１には、報知を開始する原因となるトリガの種別に応じて、報知音の出力を開始したときの認証チャネルのキャリアセンスを行う、行わないを設定しておき、報知を開始する原因となるトリガが発生したときに、その設定に応じて、報知音の出力を開始したときの認証チャネルのキャリアセンスを行う、行わないを決定するようにしてもよい。認証対象装置２１が携帯電話である場合、上記トリガの種別として、次のようなものがある。すなわち、音声通話の着信、電子メールの受信、アラームの鳴動、電池残量の低下、などである。トリガの種別のうち、音声通話の着信や電子メールの受信に関しては、発信元や送信元に応じて、さらに細分化することができる。利用者は、トリガの種別のうちの音声通話の着信に関して報知音の出力を開始したときの認証チャネルのキャリアセンスを行う、行わないを設定する場合、ある発信元Ａからの音声通話の着信に関しては、報知音の出力を開始したときの認証チャネルのキャリアセンスを行うよう設定し、また別の発信元Ｂからの音声通話の着信に関しては、報知音の出力を開始したときの認証チャネルのキャリアセンスを行わないよう設定しておく。認証対象装置２１が、報知を開始する原因となるトリガが発生し、そのトリガの種別が報知音の出力を開始したときの認証チャネルのキャリアセンスを行わないと設定されたものであれば、認証チャネルのキャリアセンスを行わないことにより、利用者が携帯無線装置１１の操作ボタンを不用意に押下することによって、利用者が認証対象装置２１を取り出して確認しなければならない、報知音を開始した重要度の高い原因を見落とすことを防ぐことができる。
【００７５】
また、認証対象装置２１が報知を開始する原因となったトリガに関する情報について携帯無線装置１１が報知しないときには、携帯無線装置１１を所持する利用者は、認証対象装置２１による報知を停止してもよいか迷うことも考えられる。例えば、認証対象装置２１が携帯電話の場合であってその携帯電話が音声通話を着信したときに、音声通話の着信であることや発信元の携帯電話に関する情報などの報知を開始したトリガを携帯無線装置１１が報知することができなければ、結局は、利用者は、認証対象装置２１による報知を停止してもよいか判断できず、携帯電話を取り出してそのトリガを特定しなければならない。このため、認証対象装置２１は、報知を開始したトリガに関する情報を搭載した報知開始通知信号（あるいは、報知音の音出力を開始した時点後の次のブロックにて送信するチャレンジ信号）を携帯無線装置１１に送信し、一方、その信号を受信した携帯無線装置１１は、当該携帯無線装置１１に備わるディスプレイ、スピーカ、バイブレーションなどの報知デバイスによって、そのトリガに関する情報を出力するようにする、ことが好ましい。この構成により、携帯無線装置１１を所持する利用者は、報知を開始する原因となったトリガを確認して認証対象装置２１による報知を停止してもよいかを判断した後、その報知を停止するための操作を行うことができる。
【００７６】
また、項目［認証モードにある認証対象装置による報知出力動作期間中のシーケンス］では、報知停止要求信号によって携帯無線装置１１から報知音を停止するよう要求された認証対象装置２１が、報知音を停止する処理について説明したが、認証対象装置２１が携帯電話である場合には、携帯無線装置１１は、報知音を停止することを要求する以外に、例えば次の処理を要求してもよい。
【００７７】
例えば、認証対象装置２１は、音声通話の着信をトリガとして報知音の出力を開始し、携帯無線装置１１から報知切替要求信号を受信すると、その音声通話に対する応答を拒否し（着信拒否を有効に切り替える。）、さらに、携帯無線装置１１から再度、報知切替要求信号を受信すると、応答を拒否していたその音声通話に対して応答する（着信拒否を無効に切り替える）。または、認証対象装置２１は、音声通話の着信をトリガとして報知音の出力を開始し、携帯無線装置１１から自動メッセージ要求信号を受信すると、その着信に応答して、「今電話に出ることができません。」などの音声ガイダンスを発信元に知らせる。または、認証対象装置２１は、電子メールの受信をトリガとして報知音の出力を開始し、携帯無線装置１１から自動メッセージ要求信号を受信すると、タイトルに「今返信できません。」などの定型文を入力した電子メールを送信元に送信する。携帯無線装置１１に複数個の操作ボタンやダイヤルが設けられていれば、認証対象装置２１に報知音を停止することを要求するためのボタン、認証対象装置２１に着信拒否の有効、無効の切替を要求するためのボタン、認証対象装置２１に音声ガイダンスやメッセージなどを出力することを要求するためのボタン、などを割り当て、押下されたボタンに応じて、報知停止要求信号、報知切替要求信号、自動メッセージ要求信号などの信号を認証対象装置２１に送信する構成であっても構わない。
【００７８】
認証対象装置２１によって報知音を開始する原因となるトリガが、別の利用者が利用する装置からの要求によるものである場合（例えば、上記の例のように、音声通話の着信や電子メールの受信をトリガとする場合）、報知音を停止する処理以外にも上記のような処理を実行することによって別の利用者に配慮することができるため、本発明の携帯無線装置及び認証対象装置を利用する利用者の利便性を向上することができる。
【００７９】
また、１台の携帯無線装置によって複数台の認証対象装置が認証を行っている場合も考えられる。このような場合、携帯無線装置に備わる操作部が複数個の操作ボタンやダイヤルで構成されていれば、複数台の認証対象装置毎に各操作ボタンまたはダイヤルを割り当て、ある認証対象装置が割り当てられたボタンまたはダイヤルを操作したときに特定の認証対象装置へのみ報知停止要求信号を送信する構成によって、特定の認証対象装置による報知動作を停止するようにしてもよい。逆に、携帯無線装置に備わる一つの操作ボタンを押下することによって、複数台の認証対象装置全てに一斉同報通信で報知停止要求信号を送信する構成によって、所定の期間、認証チャネルでのキャリアセンスを行っている認証対象装置が報知動作を停止するようにしてもよい。
【００８０】
［サーチモードにある認証対象装置による報知出力動作期間中のシーケンス］
項目［認証モードにある認証対象装置による報知出力動作期間中のシーケンス］では、携帯無線装置１１と認証対象装置２１とが認証モードにて認証している場合のシーケンスについて説明した。項目［サーチモードにある認証対象装置による報知出力動作期間中のシーケンス］では、携帯無線装置１１との間でサーチモードにて認証を行う認証対象装置２１が報知出力を開始した場合における、携帯無線装置１１及び認証対象装置２１による処理について説明する。図６に、本発明の実施の形態の携帯無線装置及び認証対象装置による、サーチモードにある認証対象装置が報知出力動作期間中のシーケンスの一例を示す。
【００８１】
認証対象装置２１が、携帯電話である場合を例にとって説明する。認証対象装置２１は、音声通話を着信したときや電子メールを受信したときに報知音の音出力を開始する（図６では、認証対象装置２１が、実線で囲まれる「報知動作開始」の時点で報知音の音出力を開始するよう記載している。）。認証対象装置２１は、報知音の音出力を開始するまでの期間、サーチモードによる認証を維持している、すなわち、サーチモードにおける一連の信号の送受信が完了しておらず、定期的にサーチ要求信号を送信しているものとする（仮に、認証対象装置２１が報知音の音出力を開始するまでに携帯無線装置１１及び認証対象装置２１との間でサーチモードにおける一連の信号の送受信が完了していれば、認証モードに遷移していることになり、項目［認証モードにある認証対象装置による報知出力動作期間中のシーケンス］にて説明したシーケンスを実行することになる。）。
【００８２】
携帯無線装置１１を所持する利用者が、認証対象装置２１からの報知音に気付き認証対象装置２１に近づいた結果、携帯無線装置１１と認証対象装置２１とが無線通信可能な距離に位置したとすると、携帯無線装置１１は、認証対象装置２１から送信されたサーチ要求信号を受信し、認証対象装置２１との間でサーチモードにおける一連の信号の送受信を開始することになる。さらに、携帯無線装置１１は、サーチモードにおける一連の信号の送受信している期間に当該携帯無線装置１１に備わる操作ボタンの押下を検出、あるいは、サーチ要求信号を受信する以前に既に当該携帯無線装置１１に備わる操作ボタンの押下を検出していたとすると、サーチモードにおける一連の信号のうちの携帯無線装置１１から認証対象装置２１へ送信される信号（サーチ信号、キーＩＤ信号、チャレンジリクエスト信号、及びレスポンス信号）のいずれかに、認証対象装置２１による報知音の音出力を停止することを要求する報知停止要求信号を搭載して送信する。図６では、キーＩＤ信号に報知停止要求信号を搭載している。なお、サーチ要求信号を受信する以前に既に当該携帯無線装置１１に備わる操作ボタンの押下を検出していた場合にも、報知停止要求信号が搭載された信号（図６ではキーＩＤ信号）を送信するのは、携帯無線装置１１を所持する利用者が報知音に気付いてから携帯無線装置１１がサーチ要求信号を受信するまでの間に、利用者が操作ボタンを押下していることも想定されるためである。
【００８３】
認証対象装置２１は、サーチ要求信号を送信した後、携帯無線装置１１との間でサーチモードにおける一連の信号の送受信を開始すると、サーチモードにおける一連の信号のうちの携帯無線装置１１から認証対象装置２１へ送信される信号（サーチ信号、キーＩＤ信号、チャレンジリクエスト信号、及びレスポンス信号）のいずれかに、報知停止要求信号が搭載されているか否かを判別する。携帯無線装置１１は、携帯無線装置１１から受信した信号に報知停止要求信号が搭載されていれば、報知音の音出力を停止する（図６では、認証対象装置２１が、点線で囲まれる「報知動作終了」の時点で報知音の音出力を終了するよう記載している。）。なお、認証対象装置２１は、報知音の出力を開始した後、サーチ要求信号を送信する周期を報知音の出力を開始する以前よりも短くしてもよい。図６では、認証対象装置２１は、報知音の出力を開始する前は８Ｔの周期で、報知音の出力を開始した後は４Ｔで、サーチ要求信号を送信している場合を示している。このようにサーチ要求信号を送信する周期を短くすることにより、携帯無線装置１１及び認証対象装置２１がサーチモードにおける一連の信号の送受信を開始する時点を早めることができ、その結果、利用者が認証対象装置２１による報知音の出力に気付いてからその報知音を停止するまでに要する時間を短縮することができる。
【００８４】
図６に示すシーケンスは、認証対象装置２１が出力する報知音に気付いた利用者が、携帯無線装置１１に備わる操作ボタンを押下することによって、認証対象装置２１による報知音の出力を停止する状況を想定したものである。携帯無線装置１１及び認証対象装置２１による一連の処理により、例えば、利用者の所持する携帯無線装置１１と認証対象装置２１とが無線通信可能な距離に位置していないものの、利用者が認証対象装置２１からの報知音を聞き取れる位置にいる場合、利用者は、携帯電話が着信によって出力を開始する報知音に気付くと、すぐに認証対象装置２１による報知音の出力を停止させることができる。また、携帯無線装置１１から認証対象装置２１へ送信される信号（サーチ信号、キーＩＤ信号、チャレンジリクエスト信号、及びレスポンス信号）のいずれかに報知停止要求信号を搭載することにより、報知停止要求信号が搭載された信号に応答する応答信号（サーチ応答、端末ＩＤ信号、チャレンジ信号、ＡＣＫ信号）が、項目［認証モードにある認証対象装置による報知出力動作期間中のシーケンス］で説明した、報知停止要求信号に応答するＡＣＫ信号の役割を果たすため、その報知停止要求信号に応答するＡＣＫ信号をサーチモードにおける一連のシーケンスに新たに加える必要がない。
【００８５】
また、携帯無線装置１１との間でサーチモードにて認証を行う認証対象装置２１が報知出力を開始した場合における、携帯無線装置１１及び認証対象装置２１による処理の別の例について説明する。図７に、本発明の実施の形態の携帯無線装置及び認証対象装置による、サーチモードにある認証対象装置が報知出力動作期間中のシーケンスの他例を示す。
【００８６】
認証対象装置２１が、携帯電話である場合を例にとって説明する。認証対象装置２１は、音声通話を着信したときや電子メールを受信したときに報知音の音出力を開始する（図７では、認証対象装置２１が、実線で囲まれる「報知動作開始」の時点で報知音の音出力を開始するよう記載している。）。認証対象装置２１は、報知音の音出力を開始するまでの期間、サーチモードによる認証を維持している、すなわち、サーチモードにおける一連の信号の送受信が完了しておらず、定期的にサーチ要求信号を送信しているものとする（仮に、認証対象装置２１が報知音の音出力を開始するまでに携帯無線装置１１及び認証対象装置２１との間でサーチモードにおける一連の信号の送受信が完了していれば、認証モードに遷移していることになり、項目［認証モードにある認証対象装置による報知出力動作期間中のシーケンス］にて説明したシーケンスを実行することになる。）。さらに、認証対象装置２１は、携帯無線装置１１に送信するサーチ要求信号に、認証対象装置２１が報知音の音出力を開始したことを通知するための報知開始通知信号を搭載し、当該サーチ要求信号を送信する。
【００８７】
携帯無線装置１１を所持する利用者が、認証対象装置２１からの報知音に気付き認証対象装置２１に近づいた結果、携帯無線装置１１と認証対象装置２１とが無線通信可能な距離に位置したとすると、携帯無線装置１１は、認証対象装置２１から送信されたサーチ要求信号を受信し、認証対象装置２１との間でサーチモードにおける一連の信号の送受信を開始することになる。ここで、携帯無線装置１１は、認証対象装置２１から受信したサーチ要求信号に報知開始通知信号が搭載されているか否かを判別し、搭載されていると判別すると、当該携帯無線装置１１に備わるディスプレイ、スピーカ、バイブレーションなどの報知デバイスに、認証対象装置２１が報知音を音出力中である旨を出力させる。
【００８８】
さらに、携帯無線装置１１は、サーチモードにおける一連の信号の送受信している期間に当該携帯無線装置１１に備わる操作ボタンの押下を検出していたとすると、サーチモードにおける一連の信号のうちの携帯無線装置１１から認証対象装置２１へ送信される信号（サーチ信号、キーＩＤ信号、チャレンジリクエスト信号、及びレスポンス信号）のいずれかに、認証対象装置２１による報知音の音出力を停止することを要求する報知停止要求信号を搭載して送信する。図７では、キーＩＤ信号に報知停止要求信号を搭載している。なお、サーチ要求信号を受信する以前に既に当該携帯無線装置１１に備わる操作ボタンの押下を検出していた場合にも、報知停止要求信号が搭載された信号（図７ではキーＩＤ信号）を送信するのは、携帯無線装置１１を所持する利用者が報知音に気付いてから携帯無線装置１１がサーチ要求信号を受信するまでの間に、利用者が操作ボタンを押下していることも想定されるためである。
【００８９】
認証対象装置２１は、サーチ要求信号を送信した後、携帯無線装置１１との間でサーチモードにおける一連の信号の送受信を開始すると、サーチモードにおける一連の信号のうちの携帯無線装置１１から認証対象装置２１へ送信される信号（サーチ信号、キーＩＤ信号、チャレンジリクエスト信号、及びレスポンス信号）のいずれかに、報知停止要求信号が搭載されているか否かを判別する。認証対象装置２１は、携帯無線装置１１から受信した信号に報知停止要求信号が搭載されていれば、報知音の音出力を停止する（図７では、認証対象装置２１が、点線で囲まれる「報知動作終了」の時点で報知音の音出力を終了するよう記載している。）。なお、認証対象装置２１は、報知音の出力を開始した後、サーチ要求信号を送信する周期を報知音の出力を開始する以前よりも短くしてもよい。図７では、認証対象装置２１は、報知音の出力を開始する前は８Ｔの周期で、報知音の出力を開始した後は４Ｔで、サーチ要求信号を送信している場合を示している。このようにサーチ要求信号を送信する周期を短くすることにより、携帯無線装置１１及び認証対象装置２１がサーチモードにおける一連の信号の送受信を開始する時点を早めることができ、その結果、利用者が認証対象装置２１による報知音の出力に気付いてからその報知音を停止するまでに要する時間を短縮することができる。
【００９０】
図７に示すシーケンスは、携帯無線装置１１による報知により認証対象装置２１が報知音を出力していることに気付いた利用者が、携帯無線装置１１に備わる操作ボタンを押下することによって、認証対象装置２１による報知音の出力を停止する状況を想定したものである。携帯無線装置１１及び認証対象装置２１による一連の処理により、例えば、利用者は、携帯電話が報知方法に制限がなされた状態（すなわち、マナーモード）に設定されている場合にも、携帯無線装置１１による報知により携帯電話の着信に気付くことができ、その気付いた時点ですぐに認証対象装置２１による報知音の出力を停止させることができる。また、認証対象装置２１から携帯無線装置１１に送信されるサーチ要求信号に報知開始通知信号を、携帯無線装置１１から認証対象装置２１へ送信される信号（サーチ信号、キーＩＤ信号、チャレンジリクエスト信号、及びレスポンス信号）のいずれかに報知停止要求信号を、それぞれ搭載することにより、報知開始通知信号の場合にはその報知開始通知信号が搭載されたサーチ要求信号に応答するサーチ信号が、報知停止要求信号の場合にはその報知停止要求信号が搭載された信号に応答する応答信号（サーチ応答、端末ＩＤ信号、チャレンジ信号、ＡＣＫ信号）が、項目［認証モードにある認証対象装置による報知出力動作期間中のシーケンス］で説明した、報知開始通知信号に応答するＡＣＫ信号、報知停止要求信号に応答するＡＣＫ信号の役割を果たすため、報知開始通知信号または報知停止要求信号に応答するＡＣＫ信号をサーチモードにおける一連のシーケンスに新たに加える必要がない。
【００９１】
以上、本発明の実施の形態の携帯無線装置及び認証対象装置によれば、認証対象装置と対になる携帯無線装置を所持する者（すなわち、携帯無線装置と認証対象装置との間での認証により、これらの装置の利用者本人と認証された者）のみが、携帯無線装置を手元に、認証対象装置を手元から離れたところに、所持して持ち運ぶ状況や、認証対象装置が報知方法に制限がなされた状態（すなわち、マナーモード）に設定されている場合であっても、すぐに認証対象装置２１による報知音の出力を停止させることができる。
【００９２】
また、認証対象装置２１には、報知を開始する原因となるトリガの種別に応じて、報知停止要求信号を受信したときに、その報知音を停止する要求に従うか否かを設定しておき、報知を開始する原因となるトリガが発生したときに、その設定に応じて、報知音の出力を開始したときに携帯無線装置１１から受信した報知停止要求信号に従って報知音を停止するか否かを決定するようにしてもよい。認証対象装置２１が携帯電話である場合、上記トリガの種別として、次のようなものがある。すなわち、音声通話の着信、電子メールの受信、アラームの鳴動、電池残量の低下、などである。トリガの種別のうち、音声通話の着信や電子メールの受信に関しては、発信元や送信元に応じて、さらに細分化することができる。利用者は、トリガの種別のうちの音声通話の着信に関して報知音を停止する要求に従うか否かを設定する場合、ある発信元Ａからの音声通話の着信に関しては、報知音の出力を開始したときに報知音を停止する要求に従うよう設定し、また別の発信元Ｂからの音声通話の着信に関しては、報知音の出力を開始したときに報知音を停止する要求に従わないよう設定しておく。認証対象装置２１が、報知を開始する原因となるトリガが発生し、そのトリガの種別が報知音の出力を開始したときに報知音を停止する要求に従わないと設定されたものであれば報知音を停止しないことにより、利用者が携帯無線装置１１の操作ボタンを不用意に押下することによって、利用者が認証対象装置２１を取り出して確認しなければならない、報知音を開始した重要度の高い原因を見落とすことを防ぐことができる。
【００９３】
また、認証対象装置２１が報知を開始する原因となったトリガに関する情報について携帯無線装置１１が報知しないときには、携帯無線装置１１を所持する利用者は、認証対象装置２１による報知を停止してもよいか迷うことも考えられる。例えば、認証対象装置２１が携帯電話の場合であってその携帯電話が音声通話を着信したときに、音声通話の着信であることや発信元の携帯電話に関する情報などの報知を開始したトリガを携帯無線装置１１が報知することができなければ、結局は、利用者は、認証対象装置２１による報知を停止してもよいか判断できず、携帯電話を取り出してそのトリガを特定しなければならない。このため、認証対象装置２１は、報知を開始したトリガに関する情報を搭載した報知開始通知信号を、サーチ要求信号を用いて携帯無線装置１１に送信し、一方、その信号を受信した携帯無線装置１１は、当該携帯無線装置１１に備わるディスプレイ、スピーカ、バイブレーションなどの報知デバイスによって、そのトリガに関する情報を出力するようにする、ことが好ましい。この構成により、携帯無線装置１１を所持する利用者は、報知を開始する原因となったトリガを確認して認証対象装置２１による報知を停止してもよいかを判断した後、その報知を停止するための操作を行うことができる。
【００９４】
また、項目［サーチモードにある認証対象装置による報知出力動作期間中のシーケンス］では、報知停止要求信号によって携帯無線装置１１から報知音を停止するよう要求された認証対象装置２１が、報知音を停止する処理について説明したが、認証対象装置２１が携帯電話である場合には、携帯無線装置１１は、報知音を停止することを要求する以外に例えば次の処理を要求してもよい。
【００９５】
例えば、認証対象装置２１は、音声通話の着信をトリガとして報知音の出力を開始し、携帯無線装置１１から報知切替要求信号を受信すると、その音声通話に対する応答を拒否し（着信拒否を有効に切り替える。）、さらに、携帯無線装置１１から再度、報知切替要求信号を受信すると、応答を拒否していたその音声通話に対して応答する（着信拒否を無効に切り替える）。または、認証対象装置２１は、音声通話の着信をトリガとして報知音の出力を開始し、携帯無線装置１１から自動メッセージ要求信号を受信すると、その着信に応答して、「今電話に出ることができません。」などの音声ガイダンスを発信元に知らせる。または、認証対象装置２１は、電子メールの受信をトリガとして報知音の出力を開始し、携帯無線装置１１から自動メッセージ要求信号を受信すると、タイトルに「今返信できません。」などの定型文を入力した電子メールを送信元に送信する。携帯無線装置１１に複数個の操作ボタンやダイヤルが設けられていれば、認証対象装置２１に報知音を停止することを要求するためのボタン、認証対象装置２１に着信拒否の有効、無効の切替を要求するためのボタン、認証対象装置２１に音声ガイダンスやメッセージなどを出力することを要求するためのボタン、などを割り当て、押下されたボタンに応じて、報知停止要求信号、報知切替要求信号、自動メッセージ要求信号などの信号を認証対象装置２１に送信する構成であっても構わない。
【００９６】
認証対象装置２１によって報知音を開始する原因となるトリガが、別の利用者が利用する装置からの要求によるものである場合（例えば、上記の例のように、音声通話の着信や電子メールの受信をトリガとする場合）、報知音を停止する処理以外にも上記のような処理を実行することによって別の利用者に配慮することができるため、本発明の携帯無線装置及び認証対象装置を利用する利用者の利便性を向上することができる。
【００９７】
また、１台の携帯無線装置によって複数台の認証対象装置が認証を行っている場合も考えられる。このような場合、携帯無線装置に備わる操作部が複数個の操作ボタンやダイヤルで構成されていれば、複数台の認証対象装置毎に各操作ボタンまたはダイヤルを割り当て、ある認証対象装置が割り当てられたボタンまたはダイヤルを操作したときに特定の認証対象装置へのみ報知停止要求信号を送信する構成によって、特定の認証対象装置による報知動作を停止するようにしてもよい。逆に、携帯無線装置に備わる一つの操作ボタンを押下することによって、複数台の認証対象装置全てに一斉同報通信で報知停止要求信号を送信する構成によって、所定の期間、認証チャネルでのキャリアセンスを行っている認証対象装置が報知動作を停止するようにしてもよい。
【００９８】
また、サーチモードにおける一連のシーケンスを変えることなく、当該シーケンスの各種信号に報知開始通知信号または報知停止要求信号を搭載することによって、その各種信号を受信する認証対象装置は、その各種信号に予め搭載されているＩＤ情報により自機宛てに送信された信号であるのか他機宛てに送信された信号であるのかを判別することができる。この結果、一台の携帯無線装置によって複数台の認証対象装置が認証を行っている場合に、ある認証対象装置が、他機宛てに送信された信号によって誤って報知動作を停止するなどの誤動作をすることを防ぐことができる。
【００９９】
[本発明の実施の形態の携帯無線装置及び認証対象装置の構成]
次に、本発明の実施の形態の携帯無線装置及び認証対象装置の構成について説明する。図８に、本発明の実施の形態の携帯無線装置及び認証対象装置の機能ブロック図を示す。本発明の実施の形態の携帯無線装置１は、無線部１０１、タイマ１０２、無線制御部１０３、各種インタフェース１０４を含んで構成される。また、本発明の認証対象装置２は、無線認証部２０、駆動部３０、駆動制御部４０、ディスプレイ５０、操作部６０、報知部７０を含んで構成される。
【０１００】
携帯無線装置１において、無線部１０１は、アンテナを介して、４００ＭＨｚ帯特定小電力無線、ＲＦＩＤ（Radio Frequency Identification：無線周波数識別）で使用される短距離通信用の電波やＵＷＢ（Ultra Wide Band：超広帯域無線）等を用いて、ペアリング処理により当該携帯無線装置１と対に設定した認証対象装置２の識別コードが含まれる電波の送受信を行う。
【０１０１】
無線制御部１０３は、所定の通信プロトコル（すなわち、上記［携帯無線装置１１との無線認証］、［認証モードにある認証対象装置による報知出力動作期間中のシーケンス］、［サーチモードにある認証対象装置による報知出力動作期間中のシーケンス］にて説明した通信プロトコル）に基づき、無線部１０１に送受信させる信号を制御する。無線制御部１０３には、増幅回路、変調回路、復調回路、エンコード回路、デコード回路などの回路が含まれる。また、無線制御部１０３は、無線通信で使用される電波の受信強度（例えば、復調回路に入力される電波の電圧レベルやＳ／Ｎ比、デコード回路によりデコードされたデータの誤り率などを基に算出される）を計測するとともに、その受信強度が予め設定された閾値（認証エリアおよび非認証エリアを区分けするための数値）以上か未満かを判別する。
【０１０２】
タイマ１０２は、無線部１０１が認証対象装置２にレスポンス信号を送信した時点から計時を開始する。
【０１０３】
インタフェース１０４は、例えば操作ボタンであり、携帯無線装置１の外部から入力される信号を適宜無線制御部１０３に出力するデバイスで構成される。
【０１０４】
認証対象装置２の無線認証部２０において、無線部２０１は、アンテナを介して、４００ＭＨｚ帯特定小電力無線、ＲＦＩＤ（Radio Frequency Identification：無線周波数識別）で使用される短距離通信用の電波やＵＷＢ（Ultra Wide Band：超広帯域無線）等を用いて、ペアリング処理により認証対象装置２と対に設定した携帯無線装置１の識別コード信号が含まれる電波の送受信を行う。
【０１０５】
無線制御部２０３は、所定の通信プロトコル（すなわち、上記［携帯無線装置１１との無線認証］、［認証モードにある認証対象装置による報知出力動作期間中のシーケンス］、［サーチモードにある認証対象装置による報知出力動作期間中のシーケンス］にて説明した通信プロトコル）に基づき、無線部２０１に送受信させる信号を制御する。無線制御部２０３には、増幅回路、変調回路、復調回路、エンコード回路、デコード回路などの回路が含まれる。また、無線制御部２０３は、無線通信で使用される電波の受信強度（例えば、復調回路に入力される電波レベルの電圧やＳ／Ｎ比、デコード回路によりデコードされたデータの誤り率などを基に算出される）を計測するとともに、その受信強度が予め設定された閾値（認証エリアおよび非認証エリアを区分けするための数値）以上か未満かを判別する。無線制御部２０３は、携帯無線装置１との認証に失敗した場合、または、携帯無線装置１から受信した電波の受信強度が所定値未満である場合、使用制限要求信号を駆動制御部４０に出力して、認証対象装置２に備わる機能の少なくとも一部に対して制限を施す。一方、無線制御部２０３は、携帯無線装置１との認証に成功し、かつ、携帯無線装置１から受信した電波の受信強度が所定値以上である場合、使用制限解除信号を駆動制御部４０に出力し、認証対象装置２１に備わる機能に施されている制限を解除する。
【０１０６】
タイマ２０２は、無線部２０１が携帯無線装置１からレスポンス信号を受信した時点から計時を開始する。また、タイマ２０２は、携帯無線装置１から受信する各種信号のフレーム同期に合わせて、計時時刻を携帯無線装置１のタイムに合わせて補正するものとする。
【０１０７】
駆動制御部４０は、無線制御部２０３から使用制限要求信号を通知されている期間中、認証対象装置２により実行可能な各種駆動部３０に対して、その機能の実行に制限を加える。また、駆動制御部４０は、報知部７０による報知出力を制御する。
【０１０８】
なお、本発明の携帯無線装置の一形態としては、ワイヤレスキーが考えられるが、ワイヤレスキーに限るものではなく、携帯電話、ＰＤＡ、無線カードなどの電子機器が一機能として本発明の携帯無線装置を含む形態であっても構わない。
【０１０９】
以上、本発明の実施の形態の携帯無線装置及び認証対象装置によれば、認証対象装置と対になる携帯無線装置を所持する者（すなわち、携帯無線装置と認証対象装置との間での認証により、これらの装置の利用者本人と認証された者）のみが、携帯無線装置を手元に、認証対象装置を手元から離れたところに、所持して持ち運ぶ状況や、認証対象装置が報知方法に制限がなされた状態（すなわち、マナーモード）に設定されている場合であっても、すぐに認証対象装置２１による報知音の出力を停止させることができる。
【産業上の利用可能性】
【０１１０】
本発明の認証対象装置、携帯無線装置、認証制御方法、及びプログラムによれば、無線認証機能を利用して、認証対象装置による報知出力に対して携帯無線装置によって適切に対処することができるという効果を奏し、無線通信を利用して認証を行う携帯無線装置、認証対象装置、及び認証制御方法の分野に関して有用である。
【図面の簡単な説明】
【０１１１】
【図１】本発明の実施の形態の携帯無線装置及び認証対象装置によるサーチモード時のシーケンス
【図２】本発明の実施の形態の携帯無線装置及び認証対象装置による認証モード時のシーケンス
【図３】本発明の実施の形態の携帯無線装置及び認証対象装置による認証モード時のシーケンスの他例
【図４】本発明の実施の形態の携帯無線装置及び認証対象装置による、認証モードにある認証対象装置が報知出力動作期間中のシーケンスの一例
【図５】本発明の実施の形態の携帯無線装置及び認証対象装置による、認証モードにある認証対象装置が報知出力動作期間中のシーケンスの他例
【図６】本発明の実施の形態の携帯無線装置及び認証対象装置による、サーチモードにある認証対象装置が報知出力動作期間中のシーケンスの一例
【図７】本発明の実施の形態の携帯無線装置及び認証対象装置による、サーチモードにある認証対象装置が報知出力動作期間中のシーケンスの他例
【図８】本発明の実施の形態の携帯無線装置及び認証対象装置の機能ブロック図
【符号の説明】
【０１１２】
１、１１  携帯無線装置
１０１  無線部
１０２  タイマ
１０３  無線制御部
１０４  インタフェース
２、２１  認証対象装置
２０１  無線部
２０２  タイマ
２０３  無線制御部
３０  駆動制御部
４０  駆動部
５０  ディスプレイ
６０  操作部
７０  報知部
【図１】
0004990734.tif 000002
【図２】
0004990734.tif 000003
【図３】
0004990734.tif 000004
【図４】
0004990734.tif 000005
【図５】
0004990734.tif 000006
【図６】
0004990734.tif 000007
【図７】
0004990734.tif 000008
【図８】
0004990734.tif 000009